(57)【要約】【課題】電源を投入してから音声が出力されるまでの出音時間を短縮する。【解決手段】テレビジョン受像機１の電源がＯＮとされると、放送信号処理部１２、音声信号処理部１４およびシステムコントローラ１７の電源がＯＮとなり、放送信号処理部１２およびシステムコントローラ１７が起動開始する。システムコントローラ１７は、起動完了すると、音声信号処理部１４にリセット信号を送信する。音声信号処理部１４は、リセット信号に基づき起動開始する。システムコントローラ１７は、演算プログラムや演算係数データなどの各種データを音声信号処理部１４に送信する。音声信号処理部１４は、各種データに基づき設定を行い、起動が完了する。放送信号処理部１２は、起動完了すると出音設定情報を音声信号処理部１４に送信する。音声信号処理部１４は、出音設定情報に基づき出音設定を行い、音声信号に対して信号処理を施して音声を出力する。【選択図】図２
2009005242.tif 000002
【特許請求の範囲】
【請求項１】
映像および音声を出力する映像音声処理装置において、
入力されたトランスポートストリームから映像データおよび音声データを取得し、上記映像データおよび音声データをそれぞれ復号して映像信号および音声信号を出力する第１のプロセッサと、
上記音声信号に対して所定の信号処理を施す音声信号処理部と、
上記所定の信号処理を実行するための各種データを記憶する記憶部を備え、上記音声信号処理部における処理を制御する、上記第１のプロセッサと比較して起動時間が短い第２のプロセッサと
を有し、
上記第１のプロセッサの起動処理が行われている間に、上記第２のプロセッサから上記音声信号処理部に対して上記記憶部に記憶された各種データが送信される
ことを特徴とする映像音声処理装置。
【請求項２】
請求項１に記載の映像音声処理装置において、
上記起動時間は、電源がＯＮとされてから動作を開始するまでの時間である
ことを特徴とする映像音声処理装置。
【請求項３】
請求項１に記載の映像音声処理装置において、
上記第１のプロセッサは、放送信号処理部である
ことを特徴とする映像音声処理装置。
【請求項４】
請求項１に記載の映像音声処理装置において、
上記第２のプロセッサは、システムコントローラである
ことを特徴とする映像音声処理装置。
【請求項５】
映像および音声を出力する映像音声処理方法において、
入力されたトランスポートストリームから映像データおよび音声データを取得し、上記映像データおよび音声データをそれぞれ復号して映像信号および音声信号を第１のプロセッサから出力するステップと、
上記音声信号に対して所定の信号処理を施す音声信号処理ステップと、
上記所定の信号処理を実行するための各種データを記憶部に記憶し、上記音声信号処理ステップにおける処理を、上記第１のプロセッサと比較して起動時間が短い第２のプロセッサで制御するステップと
を有し、
上記第１のプロセッサの起動処理が行われている間に、上記音声信号処理ステップにおける上記所定の信号処理のための各種データが上記第２のプロセッサから送信される
ことを特徴とする映像音声処理方法。
【発明の詳細な説明】
【技術分野】
【０００１】
この発明は、映像および音声を出力する映像音声処理装置および映像音声処理方法に関する。
【背景技術】
【０００２】
テレビジョン受像機などの音声信号を出力可能な映像音声処理装置には、音声信号の音量調節機能や周波数特性を調整するためのイコライジング機能、サラウンドなどの音響効果付加機能などの各種機能が搭載されており、従来から、これらの機能を実行するために音声信号処理デバイスが用いられている。
【０００３】
特に、近年では、ディジタルテレビジョン放送による高音質化や、放送およびテレビジョン受像機外部入力のマルチチャンネル化に対応するため、音声信号処理デバイスとしてＤＳＰ（Digital Signal Processor）が使用されている。このような音声信号処理デバイスは、汎用性をもたせてより柔軟な演算処理を行ったり、演算係数の調整や更新を容易とするため、主記憶装置として揮発性メモリであるＳＲＡＭ（Static Random Access Memory）などが用いられている。
【０００４】
また、従来のテレビジョン受像機では、音声信号処理デバイスを動作させるためのマイクロプログラムや演算プログラム、演算係数のデータなどの各種データを、不揮発性メモリであるＥＥＰＲＯＭ（Electrically Erasable and Programmable Read Only Memory）などの外部記憶装置に予め記憶させ、音声信号処理デバイス自身によって外部記憶装置から読み出し、主記憶装置に記憶するようにしていた。
【０００５】
しかしながら、この場合、テレビジョン受像機に外部記憶装置を設ける必要があるため、コストが増加してしまうという問題点があった。
【０００６】
そこで、最近では、音声信号処理デバイスの外部に設けられたマイクロコンピュータに各種データを予め記憶させ、音声信号処理デバイスを動作させる際に、マイクロコンピュータが音声信号処理デバイスに対して各種データを送信するようにしている。こうすることにより、各種データを記憶させておくための外部記憶装置を設ける必要がないため、コストを抑えることができる。
【０００７】
このように、テレビジョン受像機における各種処理をマイクロコンピュータを用いて制御する技術が下記の特許文献１に記載されている。
【０００８】
【特許文献１】特開２００７−８１９２１号公報
【発明の開示】
【発明が解決しようとする課題】
【０００９】
ここで、従来のテレビジョン受像機１００の一例の構成について、図６を参照して概略的に説明する。以下では、地上ディジタルテレビジョン放送を受信可能なテレビジョン受像機１００を例にとって説明する。従来のテレビジョン受像機１００は、図６に示すように、放送受信チューナ１１１、放送信号処理部１１２、映像信号処理部１１３、音声信号処理部１１４、表示部１１５、音声出力部１１６およびシステムコントローラ１１７を備える。
【００１０】
放送受信チューナ１１１は、ＵＨＦ（Ultra High Frequency）アンテナ１０２を介して受信した地上ディジタルテレビジョン放送の電波から、後述するシステムコントローラ１１７の制御に基づき所定の変調信号を選局し、所定の信号処理を施してＭＰＥＧ−２システムズ（Moving Picture Experts Group-2 Systems）に規定されるトランスポートストリーム（ＴＳ；Transport Stream）を取得し、放送信号処理部１１２に供給する。
【００１１】
放送信号処理部１１２は、ＴＳパケットのフィルタリングを行い、多重されたＴＳから必要なストリームを取り出す。そして、ストリームに含まれる映像データ、音声データおよび付加データに対して、それぞれのデータに応じた復号処理を施し、映像信号、音声信号および付加データを出力する。復号された映像信号および付加データが映像信号処理部１１３に供給され、音声信号が音声信号処理部１１４に供給される。
【００１２】
また、放送信号処理部１１２は、図示しないマイクロコンピュータ、ＲＯＭ（Read Only Memory）およびＲＡＭ（Random Access Memory）を備え、音声信号処理を実行するためのマイクロプログラムや演算プログラム、演算係数データなどの音声信号処理部１１４を動作させるために必要な各種データがＲＯＭに記憶されている。ＲＯＭに記憶された各種データは、音声信号処理部１１４に供給される。
【００１３】
映像信号処理部１１３は、放送信号処理部１１２から供給されたディジタルテレビジョン放送の映像信号に対して所定の信号処理を施すとともに、映像信号および付加データに対して、例えばＯＳＤ（On Screen Display）処理を施して合成し、ＬＣＤ（Liquid Crystal Display）などの表示部１１５に表示させる。
【００１４】
音声信号処理部１１４は、例えばＤＳＰであり、図示しない演算器、制御プロセッサ、ＲＯＭおよびＲＡＭを備える。音声信号処理部１１４は、放送信号処理部１１２から供給されたマイクロプログラムや演算プログラム、演算係数データなどの各種データに基づき、放送信号処理部１１２から供給された音声信号に対して所定の信号処理を施し、音声信号を加工して出力する。そして、音声信号処理部１１４は、信号処理を施した音声信号を音声出力部１１６に供給し、スピーカなどの音声出力部１１６で出力する。
【００１５】
システムコントローラ１１７は、例えばマイクロコンピュータであり、図示しないＲＯＭに予め格納されたプログラムに従い、図示しないＲＡＭをワークメモリとして各部を制御する。
【００１６】
次に、従来のテレビジョン受像機１００における音声出力の動作について説明する。図７は、テレビジョン受像機１００において音声を出力する際の動作についての一例を示す。また、図８は、放送信号処理部１１２、音声信号処理部１１４およびシステムコントローラ１１７の間で送受信が行われる信号の一例を示す。
【００１７】
ステップＳ１０１において、ユーザによってテレビジョン受像機１００の電源がＯＮとされると、ステップＳ１０２、Ｓ１０３およびＳ１０４で、放送信号処理部１１２内のマイクロコンピュータ、音声信号処理部１１４およびシステムコントローラ１１７にそれぞれ電源が供給されてＯＮとなる（時刻ｔ0”）。
【００１８】
ステップＳ１０５およびＳ１０６において、放送信号処理部１１２内のマイクロコンピュータおよびシステムコントローラ１１７が起動処理を開始する（時刻ｔ1”）。ステップＳ１０７において、システムコントローラ１１７は、起動処理を完了する（時刻ｔ2”）。また、ステップＳ１０８において、放送信号処理部１１２内のマイクロコンピュータが起動完了し、音声信号処理部１１４に対するデータ転送が可能となると、音声信号処理部１１４に対してリセット信号を送信する。
【００１９】
ステップＳ１０９において、音声信号処理部１１４は、放送信号処理部１１２からのリセット信号に基づき起動処理を開始する。音声信号処理部１１４が起動処理を開始すると、放送信号処理部１１２は、音声信号処理部１１４に対してマイクロプログラムや演算プログラム、演算係数データなどの各種データを送信する。音声信号処理部１１４は、シリアルポートをスレーブ状態で起動し、放送信号処理部１１２からの各種データを受信し、音声信号処理部１１４内に設けられたＲＡＭに順次書き込む（時刻ｔ3”）。
【００２０】
音声信号処理部１４は、受信すべき全てのデータを受け取ると、受信データに基づき各種設定を行い、必要であれば受信プログラムで再起動し、ステップＳ１１０において起動処理を完了する。そして、音声信号処理部１１４は、放送信号処理部１１２内のマイクロコンピュータからの出音設定を待つ。
【００２１】
そして、放送信号処理部１１２は、音声信号処理部１１４に対して出音設定情報を送信する。ステップＳ１１１において、音声信号処理部１１４は、放送信号処理部１１２からの出音設定情報に基づき出音設定を行い、出音設定に基づき音声信号に対して所定の信号処理を施し、ステップＳ１１２において、テレビジョン受像機１００から音声が出力される（時刻ｔ4”）。
【００２２】
上述したように、マイクロコンピュータから音声信号処理部に対してマイクロプログラムや演算プログラム、演算係数データなどの各種データを送信する場合には、電源を投入して起動処理を行い、起動処理が完了した後に各種データの送信処理を行うことになる。
【００２３】
また、各種データの送信処理には、例えば、一般的なファーストモードＩ２Ｃ（Inter Integrated Circuit）バスによって３００ｋｂｉｔ／ｓ程度のデータ転送が行われ、各種データの送信処理に２〜３秒程度の時間を要する。そのため、テレビジョン受像機の起動時間が長くなってしまい、ユーザは、テレビジョン受像機の電源を投入してから視聴可能となるまでにしばらく待たなければならないという問題点があった。
【００２４】
したがって、この発明の目的は、電源を投入してから音声が出力されるまでの出音時間を短縮することができる映像音声処理装置および映像音声処理方法を提供することにある。
【課題を解決するための手段】
【００２５】
上述した課題を解決するために、第１の発明は、映像および音声を出力する映像音声処理装置において、入力されたトランスポートストリームから映像データおよび音声データを取得し、映像データおよび音声データをそれぞれ復号して映像信号および音声信号を出力する第１のプロセッサと、音声信号に対して所定の信号処理を施す音声信号処理部と、所定の信号処理を実行するための各種データを記憶する記憶部を備え、音声信号処理部における処理を制御する、第１のプロセッサと比較して起動時間が短い第２のプロセッサとを有し、第１のプロセッサの起動処理が行われている間に、第２のプロセッサから音声信号処理部に対して記憶部に記憶された各種データが送信されることを特徴とする映像音声処理装置である。
【００２６】
また、第２の発明は、映像および音声を出力する映像音声処理方法において、入力されたトランスポートストリームから映像データおよび音声データを取得し、映像データおよび音声データをそれぞれ復号して映像信号および音声信号を第１のプロセッサから出力するステップと、音声信号に対して所定の信号処理を施す音声信号処理ステップと、所定の信号処理を実行するための各種データを記憶部に記憶し、音声信号処理ステップにおける処理を、第１のプロセッサと比較して起動時間が短い第２のプロセッサで制御するステップとを有し、第１のプロセッサの起動処理が行われている間に、音声信号処理ステップにおける所定の信号処理のための各種データが第２のプロセッサから送信されることを特徴とする映像音声処理方法である。
【００２７】
上述したように、第１および第２の発明では、入力されたトランスポートストリームから映像データおよび音声データを取得し、映像データおよび音声データをそれぞれ復号して映像信号および音声信号を出力する第１のプロセッサの起動処理が行われている間に、第１のプロセッサと比較して起動時間が短い第２のプロセッサから音声信号処理部に対して、記憶部に記憶された所定の信号処理を実行するための各種データが送信されるようにしているため、音声信号処理部における信号処理のための設定時間分が短縮される。
【発明の効果】
【００２８】
この発明は、第１のプロセッサが起動処理を行っている間に、第１のプロセッサと比較して起動時間が短い第２のプロセッサが音声信号処理を行うための各種データを音声信号処理部に対して送信するようにしているため、映像音声処理装置の電源を投入してから音声が出力されるまでの出音時間を短縮することができるという効果がある。
【発明を実施するための最良の形態】
【００２９】
以下、この発明の実施の一形態について、図面を参照して説明する。この発明の実施の一形態では、映像音声処理装置の各部に設けられた複数のマイクロコンピュータを用いて並列的に処理を行うことにより、映像音声処理装置の電源を投入してから音声を出力するまでの出音時間を短縮するようにしている。以下では、映像音声処理装置として、テレビジョン放送を受信可能なテレビジョン受像機を例にとって説明する。
【００３０】
テレビジョン受像機１は、図１に示すように、放送受信チューナ１１、放送信号処理部１２、映像信号処理部１３、音声信号処理部１４、表示部１５、音声出力部１６およびシステムコントローラ１７を備える。
【００３１】
放送受信チューナ１１は、ＶＨＦ／ＵＨＦ（Very High Frequency / Ultra High Frequency）アンテナ２およびＢＳ／ＣＳ（Broadcasting Satellite / Communication Satellite）アンテナ３が接続され、放送設備から送信されたディジタルテレビジョン放送およびアナログテレビジョン放送の電波を受信する。放送受信チューナ１１は、受信したディジタルテレビジョン放送の電波から、後述するシステムコントローラ１７の制御に基づき所定の周波数の変調信号を選局し、復調や誤り訂正などの所定の信号処理を施してＭＰＥＧ−２システムズ（Moving Picture Experts Group-2 Systems）に規定されるトランスポートストリーム（ＴＳ；Transport Stream）を取得し、放送信号処理部１２に供給する。
【００３２】
また、放送受信チューナ１１は、受信したアナログテレビジョン放送の電波から、後述するシステムコントローラ１７の制御に基づき所定の周波数の信号を選択し、選択されたアナログ信号に対して映像中間周波増幅やＡＭ（Amplitude Modulation）検波などの所定の信号処理を施し、映像信号を抽出するとともに、音声中間周波増幅やＦＭ（Frequency Modulation）検波などの所定の信号処理を施して音声信号を抽出する。そして、抽出された映像信号および音声信号を映像信号処理部１３および音声信号処理部１４にそれぞれ供給する。
【００３３】
放送信号処理部１２は、放送受信チューナ１１から供給されたＴＳパケットのヘッダ部に格納されたＰＩＤ（Packet IDentification）の値に基づきフィルタリングを行い、多重されたＴＳから必要なストリームを取り出す。そして、ストリームに含まれる映像データ、音声データおよび付加データに対して、それぞれのデータに応じた復号処理を施し、映像信号、音声信号および付加データを出力する。復号された映像信号および付加データが映像信号処理部１３に供給され、音声信号が音声信号処理部１４に供給される。
【００３４】
また、放送信号処理部１２は、図示しない第１のプロセッサとしてのマイクロコンピュータ、ＲＯＭ（Read Only Memory）およびＲＡＭ（Random Access Memory）を備え、音声信号処理部１４に対して出音設定を行うように制御する。放送信号処理部１２内に設けられた第１のプロセッサとしてのマイクロコンピュータは、起動処理を開始すると、様々な処理を行うための設定を行う。このとき、マイクロコンピュータは、設定に時間を要するため、起動時間が長い。ここで、起動時間は、起動処理を開始してから完了するまでの時間を示し、例えば、テレビジョン受像機１の電源がＯＮとされることによってマイクロコンピュータの電源がＯＮとされてから、動作の開始が可能となるまでの時間とする。なお、ＲＯＭおよびＲＡＭは、例えば放送信号処理部１２の外部に設けるようにしてもよい。
【００３５】
映像信号処理部１３は、放送信号処理部１２から供給されたディジタルテレビジョン放送の映像信号に対して所定の信号処理を施すとともに、映像信号および付加データに対して、例えばＯＳＤ（On Screen Display）処理を施して合成し、表示部１５に表示させる。また、映像信号処理部１３は、放送受信チューナ１１から供給されたアナログテレビジョン放送の映像信号に対して色復調などの信号処理を施し、輝度信号および色差信号を取り出し、表示部１５に表示させる。表示部１５としては、例えば、ＣＲＴ（Cathode Ray Tube）やＬＣＤ（Liquid Crystal Display）、ＰＤＰ（Plasma Display Panel）が用いられる。
【００３６】
音声信号処理部１４は、例えばＤＳＰ（Digital Signal Processor）であり、図示しない演算器、制御プロセッサ、ＲＯＭおよびＲＡＭを備える。音声信号処理部１４は、後述するシステムコントローラ１７から供給されたマイクロプログラムや演算プログラム、演算係数データなどの音声信号処理部１４を動作させるために必要な各種データに基づき、放送受信チューナ１１や放送信号処理部１２、音声入力端子１８から供給された音声信号に対して所定の信号処理を施し、音声信号を加工して出力する。なお、供給された音声信号がアナログ信号の場合には、ＤＳＰの内部または外部に設けられたＡ／Ｄ（Analog/Digital）コンバータによりディジタルの音声信号に変換する。
【００３７】
そして、音声信号処理部１４は、信号処理を施した音声信号を音声出力部１６または音声出力端子１９に供給し、音声出力部１６で出力したり音声出力端子１９を介して外部に出力する。音声出力部１６は、例えばスピーカであり、音声信号処理部１４から供給された音声信号を増幅して出力する。
【００３８】
システムコントローラ１７は、例えば、第２のプロセッサとしてのマイクロコンピュータであり、図示しないＲＯＭに予め格納されたプログラムに従い、図示しないＲＡＭをワークメモリとして各部を制御する。第２のプロセッサであるシステムコントローラ１７は、第１のプロセッサである放送信号処理部１２内のマイクロコンピュータと比較して起動時間が短い。
【００３９】
システムコントローラ１７は、テレビジョン受像機１に設けられた図示されない操作部に対するユーザの操作や音声信号の状態変化に応じて音声信号処理部１４を制御し、音声信号処理を実行するためのマイクロプログラムや演算プログラム、演算係数データなどの各種データがＲＯＭに記憶されている。ＲＯＭに記憶された各種データは、音声信号処理部１４に供給される。
【００４０】
次に、この発明の実施の一形態によるテレビジョン受像機１における音声出力の動作について説明する。図２は、テレビジョン受像機１において音声を出力する際の動作についての一例を示す。また、図３は、放送信号処理部１２、音声信号処理部１４およびシステムコントローラ１７の間で送受信が行われる信号の一例を示す。
【００４１】
図２に示すように、ステップＳ１において、ユーザによってテレビジョン受像機１の電源がＯＮとされると、ステップＳ２、Ｓ３およびＳ４で、放送信号処理部１２内のマイクロコンピュータ、音声信号処理部１４およびシステムコントローラ１７にそれぞれ電源が供給されてＯＮとなる（時刻ｔ0）。なお、テレビジョン受像機１がスタンバイ状態の場合、システムコントローラ１７は、常に給電状態にある。
【００４２】
ステップＳ５およびＳ６において、放送信号処理部１２内のマイクロコンピュータおよびシステムコントローラ１７が起動処理を開始する（時刻ｔ1）。ステップＳ７において、システムコントローラ１７は、起動処理を完了し（時刻ｔ2）、音声信号処理部１４に対するデータ転送が可能となると、シリアルポートをスレーブ状態にして音声信号処理部１４に対してリセット信号を送信する。
【００４３】
ステップＳ８において、音声信号処理部１４は、システムコントローラ１７からのリセット信号に基づき起動処理を開始する。音声信号処理部１４が起動処理を開始すると、システムコントローラ１７は、音声信号処理部１４に対してマイクロプログラムや演算プログラム、演算係数データなどの各種データを送信する。音声信号処理部１４は、シリアルポートをマスタ状態で起動し、システムコントローラ１７からの各種データを受信し、音声信号処理部１４内に設けられたＲＡＭに順次書き込む（時刻ｔ3）。
【００４４】
音声信号処理部１４は、受信すべき全てのデータを受け取ると、受信データに基づき各種設定を行い、必要であれば受信プログラムで再起動し、ステップＳ９において起動処理を完了する。そして、音声信号処理部１４のシリアルポートをスレーブ状態に切り替えて放送信号処理部１２内のマイクロコンピュータからの出音設定を待つ。なお、このとき、例えば出音可能であることを示すＲｄｙ信号を放送信号処理部１２内のマイクロコンピュータに対して送信するようにしてもよい。
【００４５】
ステップＳ１０において、放送信号処理部１２内のマイクロコンピュータの起動処理が完了すると、放送信号処理部１２は、音声信号処理部１４に対して出音設定情報を送信する。ステップＳ１１において、音声信号処理部１４は、放送信号処理部１２からの出音設定情報に基づき出音設定を行う。そして、ステップＳ１２において、音声信号処理部１４は、出音設定に基づき音声信号に対して所定の信号処理を施し、テレビジョン受像機１から音声が出力される（時刻ｔ4）。
【００４６】
次に、この発明の実施の一形態の変形例について説明する。この発明の実施の一形態の変形例では、放送信号処理部から音声信号処理部に対する制御をシステムコントローラを介して行うようにした。この発明の実施の一形態の変形例による映像音声処理装置は、図１に示す上述の実施の一形態による映像音声処理装置１における放送信号処理部１２およびシステムコントローラ１７の動作以外は、同様の構成で実現可能である。したがって、ここでは、この実施の一形態と同様の部分については同一の符号を付し、放送信号処理部１２およびシステムコントローラ１７の動作以外については、説明を省略する。
【００４７】
放送信号処理部１２は、自身の起動処理が完了して音声を出力する際に、システムコントローラ１７に対して出音命令を送信する。システムコントローラ１７は、放送信号処理部１２から受信した出音命令に基づき、音声信号処理部１４に対して出音設定を行うように制御する。
【００４８】
次に、この発明の実施の一形態の変形例によるテレビジョン受像機１における音声出力の動作について説明する。図４は、テレビジョン受像機１において音声を出力する際の動作についての一例を示す。また、図５は、放送信号処理部１２、音声信号処理部１４およびシステムコントローラ１７の間で送受信が行われる信号の一例を示す。
【００４９】
図４に示すように、ステップＳ２１において、ユーザによってテレビジョン受像機１の電源がＯＮとされると、ステップＳ２２、Ｓ２３およびＳ２４で、放送信号処理部１２内のマイクロコンピュータ、音声信号処理部１４およびシステムコントローラ１７にそれぞれ電源が供給されてＯＮとなる（時刻ｔ0’）。なお、テレビジョン受像機１がスタンバイ状態の場合、システムコントローラ１７は、常に給電状態にある。
【００５０】
ステップＳ２５およびＳ２６において、放送信号処理部１２内のマイクロコンピュータおよびシステムコントローラ１７が起動処理を開始する（時刻ｔ1’）。ステップＳ２７において、システムコントローラ１７は、起動処理を完了し（時刻ｔ2’）、音声信号処理部１４に対するデータ転送が可能となると、シリアルポートをマスタ状態として音声信号処理部１４に対してリセット信号を送信する。
【００５１】
ステップＳ２８において、音声信号処理部１４は、システムコントローラ１７からのリセット信号に基づき起動処理を開始する。音声信号処理部１４が起動処理を開始すると、システムコントローラ１７は、音声信号処理部１４に対してマイクロプログラムや演算プログラム、演算係数データなどの各種データを送信する。音声信号処理部１４は、シリアルポートをスレーブ状態で起動し、システムコントローラ１７からの各種データを受信し、音声信号処理部１４内に設けられたＲＡＭに順次書き込む（時刻ｔ3’）。
【００５２】
音声信号処理部１４は、受信すべき全てのデータを受け取ると、受信データに基づき各種設定を行い、必要であれば受信プログラムで再起動し、ステップＳ２９において起動処理を完了する。そして、音声信号処理部１４は、システムコントローラ１７からの出音設定を待つ。なお、このとき、例えば出音可能であることを示すＲｄｙ信号をシステムコントローラ１７に対して送信するようにしてもよい。
【００５３】
ステップＳ３０において、放送信号処理部１２内のマイクロコンピュータの起動処理が完了すると、放送信号処理部１２は、システムコントローラ１７に対して出音命令を送信する。システムコントローラ１７は、放送信号処理部１２から受信した出音命令に基づき、音声信号処理部１４に対して出音設定情報を送信する。
【００５４】
ステップＳ３１において、音声信号処理部１４は、システムコントローラ１７からの出音設定情報に基づき出音設定を行う。そして、ステップＳ３２において、音声信号処理部１４は、出音設定に基づき音声信号に対して所定の信号処理を施し、テレビジョン受像機１から音声が出力される（時刻ｔ4’）。
【００５５】
このように、この発明の実施の一形態および実施の一形態の変形例では、放送信号処理部１２内のマイクロコンピュータに比べて起動時間が短いシステムコントローラ１７を用いて並列的に処理を行い、放送信号処理部１２内のマイクロコンピュータが起動処理を行っている間に、システムコントローラ１７によって各種データの送信を行うことにより、従来と比べて、音声信号処理部１４における各種データに基づく信号処理のための設定時間分を短縮している。そのため、テレビジョン受像機１の電源を投入してから音声を出力するまでの出音時間を短縮することができる。
【００５６】
また、この発明の実施の一形態および実施の一形態の変形例では、音声信号処理部１４を動作させるために必要な各種データをシステムコントローラ１７から受信するようにしているため、音声信号処理部１４に各種データを格納しておくための大容量のＲＯＭやＥＥＰＲＯＭなどの外部記憶装置を設ける必要がないため、コストを抑えることができる。
【００５７】
以上、この発明の実施の一形態および実施の一形態の変形例について説明したが、この発明は、上述したこの発明の実施の一形態および実施の一形態の変形例に限定されるものではなく、この発明の要旨を逸脱しない範囲内で様々な変形や応用が可能である。この発明の実施の一形態および実施の一形態の変形例では、映像音声処理装置としてテレビジョン受像機を例にとって説明したが、これはこの例に限られない。例えば、ＤＶＤ（Digital Versatile Disc）やＨＤＤ（Hard Disc Drive）などの記録媒体に記録された音声信号を再生するような再生装置を用いて音声信号を再生する場合についても、上述の音声出力の処理方法を適用することができる。
【図面の簡単な説明】
【００５８】
【図１】この発明の実施の一形態によるテレビジョン受像機の一例の構成を示すブロック図である。
【図２】この発明の実施の一形態によるテレビジョン受像機において音声を出力する際の動作についての一例を示す略線図である。
【図３】放送信号処理部と音声信号処理部とシステムコントローラとの間の信号の流れを説明するための略線図である。
【図４】この発明の実施の一形態の変形例によるテレビジョン受像機において音声を出力する際の動作についての一例を示す略線図である。
【図５】放送信号処理部と音声信号処理部とシステムコントローラとの間の信号の流れを説明するための略線図である。
【図６】従来のテレビジョン受像機の一例の構成を示すブロック図である。
【図７】従来のテレビジョン受像機において音声を出力する際の動作についての一例を示す略線図である。
【図８】放送信号処理部と音声信号処理部とシステムコントローラとの間の信号の流れを説明するための略線図である。
【符号の説明】
【００５９】
１  テレビジョン受像機
１１  放送受信チューナ
１２  放送信号処理部
１３  映像信号処理部
１４  音声信号処理部
１５  表示部
１６  音声出力部
１７  システムコントローラ
【図１】
2009005242.tif 000003
【図２】
2009005242.tif 000004
【図３】
2009005242.tif 000005
【図４】
2009005242.tif 000006
【図５】
2009005242.tif 000007
【図６】
2009005242.tif 000008
【図７】
2009005242.tif 000009
【図８】
2009005242.tif 000010